(57)【特許請求の範囲】
【請求項１】
所定位置に供給された遊技球を遊技領域に向けて打ち出す発射装置と、前記遊技領域に向けて先細りに形成され、前記発射装置よって打ち出された遊技球が通過する遊技球発射軌道と、該遊技球発射軌道から下方に向けて形成され、前記遊技領域に到達しない遊技球を回収する回収路とを備えた弾球遊技機において、所定位置から打ち出された遊技球が通過する通過部を、回収路に対して前記所定位置側の遊技球発射軌道上に形成するとともに、前記通過部から上方に向けて延設され、遊技球発射軌道を逆行する遊技球が前記所定位置に到達するのを阻止する逆行阻止体と、前記逆行阻止体に連設されるとともに通過部に対して回収路側に設けられ、少なくとも回収路近傍における遊技球の打ち出し方向に対して直交方向の遊技球の移動を規制する移動規制体とを備えてなることを特徴とする弾球遊技機。
【請求項２】
前記逆行阻止体は、逆行する遊技球を前記回収路に案内する傾斜面を備えてなる請求項１記載の弾球遊技機。
【請求項３】
前記逆行阻止体及び移動規制体は、一枚の板材を折り曲げ加工して形成されてなる請求項１又は２記載の弾球遊技機。
【請求項４】
前記逆行阻止体又は移動規制体の少なくとも何れか一方が、導電性を有してアース接地されてなる請求項１乃至３の何れかに記載の弾球遊技機。
【請求項５】
発射装置により打ち出されて通過部を通過した遊技球の移動を阻害しないように、前記回収路と遊技球発射軌道との接続部分に対応し、且つ前記通過部の下端と前記所定位置とを結ぶ仮想線の延長線上より下方に配置されて遊技球発射軌道上を逆行する遊技球の移動方向を下方に強制する強制ガイド体を更に備えてなる請求項１乃至４の何れかに記載の弾球遊技機。
【請求項６】
前記強制ガイド体は、下方側に向けた凹状の湾曲面を備え、遊技球の移動方向の強制を当該湾曲面により行うように構成されてなる請求項５記載の弾球遊技機。
【請求項７】
前記移動規制体が、遊技球発射軌道に対応して穿設された玉詰まり解除用のスリットを有してなる請求項１乃至６の何れかに記載の弾球遊技機。
【発明の詳細な説明】
【発明の属する技術分野】
本発明は、遊技領域内に遊技球を打ち出し、該遊技球が特定の受球口に入球し、且つ入賞が確定することで賞球を得る弾球遊技機に関する。
【０００１】
【従来の技術】
従来から発射装置が作用する所定位置（以下、打出位置という）に供給された遊技球を、発射装置により遊技領域内に打ち出し、特定の受球口にその打ち出した遊技球が入球し、且つ入賞が確定することで賞球としての遊技球を得る弾球遊技機（例えば、パチンコ遊技機）が周知である。
【０００２】
かかるパチンコ遊技機は、帯状のレールが円形渦巻き状に配置され、レールの内側に位置する円形状の領域からなる遊技領域、及び該遊技領域に向けて先細りした遊技球発射軌道が形成された遊技盤と、パチンコ遊技機の前面下部に配置されたハンドルを遊技者が操作することにより、前記遊技球発射軌道を介して遊技領域に遊技球を打ち出す発射装置と、前記遊技球発射軌道を下方に向けて分岐して形成され、遊技球発射軌道を逆行する遊技球を回収する回収路と、前記遊技盤の前面にガラス扉を介し、遊技領域を視認できるようにパチンコ遊技機の前面に配置された化粧枠とを備えている。
【０００３】
前記遊技盤における遊技領域内には、打ち出された遊技球の落下方向を変化させる複数の釘、及び回転体（いわゆる、風車）が適宜配置されるとともに、所定位置に、遊技球が入球することで入賞の可否の抽選を実行させるように構成された受球口が配置されている。
【０００４】
前記遊技球発射軌道は、円形渦巻き状に配置されたレールにおける最も外側に位置した部分と、前記遊技領域を形成した部分との間、すなわちレール間で形成されており、上述の如く、発射領域に向けて先細りに形成されている。
【０００５】
前記発射装置は、渦巻き状に配置されたレールにおける最も外側に位置した一端部を打出位置として、前記ハンドルを遊技者が操作することにより、当該打出位置に供給された遊技球を槌状の打撃部材が打突するように構成されている。
【０００６】
前記化粧枠は、所望するパチンコ遊技機のデザインに対応して形成された樹脂製の成型品であり、該化粧枠の前面には、装飾用の電飾、及び入賞確定等を知らせる告知用の電飾が適宜設けられている。
【０００７】
上記構成のパチンコ遊技機は、打出位置に供給された遊技球を発射装置により、遊技球発射軌道を介して遊技領域に打ち出し、特定の受給口に遊技球が入球し、入賞が確定等することで、上述の如く、電飾が点灯して遊技者に告知するとともに、賞球としての遊技球を得ることができる。
【０００８】
【発明が解決しようとする課題】
しかしながら、上述の如く、パチンコ遊技機は、レールを円形渦巻き状に配置することで円形状の遊技領域を形成するとともに、先細りした遊技球発射軌道を形成し、当該遊技球発射軌道を介して遊技球を遊技領域へと打ち出すように構成されているため、遊技者によるハンドルの操作量が小さいときに、遊技球が遊技領域に到達することなく遊技球発射軌道を逆戻り（逆行）する場合がある。この際に、後続の遊技球が打ち出されて遊技球同士が衝突すると、遊技球発射軌道が発射装置に向けて拡大しているため、該遊技球発射軌道における先細りした部分より広い発射装置側における遊技球発射軌道上で、これらの遊技球が不特定な方向（発射装置側）に移動し、発射装置が作用する打ち出し位置に戻ってしまうことがあり、後続の遊技球を円滑に打ち出すことができない場合があった。
【０００９】
また、化粧枠は、パチンコ遊技機のデザイン性を重視すべく、金型に溶融した樹脂を流しこんで前面が所望の形状に形成された樹脂成形品であるため、製造過程における金型からの抜き勾配等や、化粧枠の軽量化等の理由から、化粧枠の裏面は、前面のデザインに対応して凹凸をなしている。そのため、上述の如く、遊技球発射軌道上で、遊技球同士が衝突すると、遊技球が化粧枠側（遊技球の打ち出し方向に対して直交方向）に弾き飛ばされて遊技球発射軌道から離脱する場合がある。これにより、ガラス窓が配置されていない遊技球発射軌道における回収路近傍で、当該遊技球発射軌道から遊技球が離脱して化粧枠の裏面の凹部分に遊技球が入り込んでしまうことがあり、メンテナンス時などにこれらの遊技球を除去する必要があった。
【００１０】
そこで、本発明は、斯かる実情に鑑み、遊技球発射軌道を逆行する遊技球が、発射装置の作用する所定位置に逆戻りするのを防止することができるとともに、遊技球の打ち出し方向に対して直交方向に遊技球が移動して遊技球発射軌道から当該遊技球が離脱するのを防止することができる弾球遊技機を提供することを課題とする。
【００１１】
【課題を解決するための手段】
本発明にかかる弾球遊技機は、請求項１記載の如く、所定位置に供給された遊技球を遊技領域に向けて打ち出す発射装置と、前記遊技領域に向けて先細りに形成され、前記発射装置よって打ち出された遊技球が通過する遊技球発射軌道と、該遊技球発射軌道から下方に向けて形成され、前記遊技領域に到達しない遊技球を回収する回収路とを備えた弾球遊技機において、所定位置から打ち出された遊技球が通過する通過部を、回収路に対して前記所定位置側の遊技球発射軌道上に形成するとともに、前記通過部から上方に向けて延設され、遊技球発射軌道を逆行する遊技球が前記所定位置に到達するのを阻止する逆行阻止体と、前記逆行阻止体に連設されるとともに通過部に対して回収路側に設けられ、少なくとも回収路近傍における遊技球の打ち出し方向に対して直交方向の遊技球の移動を規制する移動規制体とを備えてなることを特徴とする。
【００１２】
上記構成の弾球遊技機によれば、発射装置によって打ち出された遊技球を、通過部を介して遊技領域に円滑に打ち出せることは勿論のこと、発射装置の打ち出し力が弱く、遊技球が遊技球発射軌道を逆行し、後続の遊技球と衝突して通過部上方に遊技球が弾き飛ばされても、逆行阻止体によって遊技球の所定位置側への移動を阻止することができ、発射装置が作用する所定位置に遊技球が逆戻りするのを防止することができる。また、該逆行阻止体が、回収路に対して所定位置側に形成された通過部から上方に延設されているので、当該逆行阻止体によって所定位置方向への移動が阻止された遊技球を、逆行阻止体との衝突によって回収路内に落下させることができ、当該遊技球を円滑に回収することができる。
【００１３】
また、上記構成の弾球遊技機は、移動規制体を備えているので、回収路近傍で遊技球が打ち出し方向に対して直交方向に移動しようとしても、遊技球の当該方向への移動が阻止され、遊技球が遊技球発射軌道から離脱するのを防止することができる。したがって、弾球遊技機の前面側となる遊技球発射軌道の前方（遊技球の打ち出し方向に対して直交方向の一方側）に凹凸のあるもの、例えば、弾球遊技機のデザインに対応した裏面が凹凸をなした化粧枠が配置された場合であっても、該化粧枠の凹部内に遊技球が入り込むといった事態を防止することができる。つまり、弾球遊技機は、遊技領域のみが視認可能な構成にされ、回収路の前面などは、化粧枠などで覆われるのが一般的であるため、化粧枠の凹凸が回収路と対向状態となるが、移動規制体によって化粧枠の凹部への遊技球の入り込みを阻止することができ、メンテナンス時に化粧枠の凹部内に入り込んだ遊技球を取り除くといった作業を削減することができる。
【００１４】
また、請求項２記載の如く、前記逆行阻止体は、逆行する遊技球を前記回収路に案内する傾斜面を備えれば、該逆行阻止体によって移動が阻止された遊技球を傾斜面に沿わして移動させることができ、当該遊技球を円滑に回収路へと導くことができる。
【００１５】
さらに、請求項３記載の如く、前記逆行阻止体及び移動規制体は、一枚の板材を折り曲げ加工して形成されれば、簡易な構成で遊技球の移動方向を規制することができる。したがって、低コストな部材で従来の問題点を解決することができる。
【００１６】
また、請求項４記載の如く、前記逆行阻止体又は移動規制体の少なくとも何れか一方が、導電性を有してアース接地されれば、連続的に打ち出される遊技球の通過により発生する静電気を逃がすことができ、遊技中の遊技者に静電気が流れるのを防止することができるとともに、弾球遊技機内に設けられた電気部品、例えば制御基板が静電気を帯びるのを防止して当該電気部品に悪影響を及ぼすのを防止することができる。また、遊技領域を形成した遊技盤等に静電気が帯び、塵や埃が静電気により付着するのを防止することができる。
【００１７】
さらに、請求項５記載の如く、前記移動方向規制手段は、発射装置により打ち出されて通過部を通過した遊技球の移動を阻害しないように、前記回収路と遊技球発射軌道との接続部分に対応し、且つ前記通過部の下端と前記所定位置とを結ぶ仮想線の延長線上より下方に配置されて遊技球発射軌道上を逆行する遊技球の移動方向を下方に強制する強制ガイド体を更に備えた構成を採用することもできる。このようにすれば、通過部に向けて遊技球発射軌道を逆行する遊技球の移動方向を強制ガイド体により下方（回収路）に向けることができ、当該遊技球を円滑に回収路へと導くことができる。
【００１８】
また、請求項６記載の如く、前記強制ガイド体は、下方側に向けた凹状の湾曲面を備え、遊技球の移動方向の強制を当該湾曲面により行うように構成してもよい。このようにすれば、遊技球発射軌道を逆行する遊技球を強制ガイド体の凹状の湾曲面に沿って回収路へと導くことができ、該遊技球を円滑に回収することができる。
【００１９】
さらに、請求項７記載の如く、前記移動規制体が、遊技球発射軌道に対応して穿設された玉詰まり解除用のスリットを有すれば、回収路内に落下した遊技球が、回収路と遊技球発射軌道との接続部分近傍で、万一玉詰まりが発生した場合であっても、スリットに棒材を挿入し、該スリットの長手方向に棒材を移動させれば、玉詰まりを起こした複数の遊技球のそれぞれが移動して玉詰まりを解消することができる。
【００２０】
【発明の実施の形態】
以下、本発明にかかる弾球遊技機の一実施形態としてのパチンコ遊技機について図面を参酌しつつ説明する。
【００２１】
本実施形態にかかるパチンコ遊技機は、図１及び図２に示す如く、パチンコ店（ホール）内に適宜設置され、複数のパチンコ遊技機を所定間隔で設置する設置台、いわゆる、遊技島（図示せず）に固定される略矩形状の外枠体（図示せず）と、該外枠体の前面に開閉可能に設けられた外形矩形状の内枠体１と、一方の面に遊技領域Ｐが形成され、該遊技領域Ｐが前面に位置するように内枠体１内に嵌め込まれた遊技盤２と、前記内枠体１に開閉可能に取り付けられ、遊技盤２の遊技領域Ｐを覆うガラス窓３と、外枠体に開閉可能に取り付けられ、前記遊技領域Ｐのみを視認できるように、ガラス窓３の枠体４等を覆う化粧枠５と、前記外枠体内に設けられ、遊技島に設けられた遊技球供給装置（図示せず）に接続され、所定量の遊技球を排出口３５を介して後述する貯留領域９の上皿３１に供給する（払い出す）機構盤（図示せず）と、遊技の演出等を制御する制御部（図示せず）とで構成されている。
【００２２】
前記外枠体は、外形が矩形状をなすように、金属部材からなる枠材を枠組して形成されたものであり、該外枠体の長手方向が上下方向となるように配置され、上下の枠材が設置台に固定されている。なお、パチンコ遊技機の前面側となる外枠体の下端部には、遊技の演出を向上させるべく音楽等の音響を発する一対のスピーカーＳが取り付けられた装飾用カバーＡが設けられている。かかる装飾用カバーＡは、所定高さを有し且つ外枠体の幅に対応するように形状設定されている。
【００２３】
前記内枠体１は、外枠体と同等の幅に設定され、且つ外枠体の高さから前記装飾用カバーＡの高さを差し引いた高さに設定された外形略長方形状をなしたものである。前記内枠体１の下端部、すなわちパチンコ遊技機の下部に該当する部分には、前記遊技領域Ｐに遊技球を打ち出すべく、短手方向の一端側に遊技球の発射（打ち出し）等のハンドリングを行う遊技球操作領域Ｂｈが形成されるとともに、短手方向の他端側に遊技球操作領域Ｂｈの後述する発射装置８に供給する遊技球を貯留する貯留領域９が形成されている。また、内枠体１は、遊技球操作領域Ｂｈ及び貯留領域９の上方に位置する部分には、前記遊技盤２を嵌め込む略正方形状の開口が形成されている。上記構成の内枠体１は、前記装飾用カバーＡの上方に位置し、且つ外枠体と対応するように、短手方向の他端部が外枠体の短手方向の一端部に蝶着され、開閉可能に設けられている。
【００２４】
前記遊技球操作領域Ｂｈには、順次遊技球が供給され、該遊技球を遊技領域Ｐに打ち出す遊技球発射装置部６と、パチンコ遊技機の前面に延設され、前記遊技球発射装置部６を動作させるべく軸回りに回転可能な棒状のハンドル７とが設けられている。
【００２５】
前記遊技球発射装置部６は、図３に示す如く、遊技球を打ち出す電磁式の発射装置８と、該発射装置８に遊技球を一球ずつ切り出して供給する切上装置１０とで構成されている。
【００２６】
かかる発射装置８は、供給された遊技球を打ち出すべく磁力を発生させる一対の電磁石１１ａ，１１ｂと、該一対の電磁石１１ａ，１１ｂを内装するケース１２と、正規に打ち出される遊技球に対して、該遊技球の打ち出し方向側に他の遊技球が位置した際に、該他の遊技球を除去する遊技球除去部材１３とで構成されている。
【００２７】
前記一対の電磁石１１ａ，１１ｂは、両端が互いに対向するようにＣ字状に形成された複数枚の鉄板が重ね合わせられたコア１４の両端部のそれぞれにコイル１５が巻き回されて形成されたものである。換言すれば、一方の電磁石１１ａは、コア１４の一端部にコイル１５が巻かれて形成され、他方の電磁石１１ｂは、前記コア１４の他端部に、一方の電磁石１１ａとは別のコイル１５が巻かれて形成されている。かかる一対の電磁石１１ａ，１１ｂは、遊技球が介在し得るように、所定間隔を有しており、前記ケース１２内に内装された時に下側に位置する一方の電磁石１１ａには、遊技球の配置や打ち出しを円滑にすべく、前記コア１４の断面積より広い面積を有する平面視略矩形状の薄板からなるガイド板１６が、長手方向の一端をコア１４の奥部に位置させるように、他方の電磁石１１ｂと対向して取り付けられている。つまり、ガイド板１６は、遊技球が該ガイド板１６の一方の面に沿って移動できるように構成されている。
【００２８】
他方の電磁石１１ｂは、前記ガイド板１６の長手方向の一端部と対向する部位であって、コア１４の両端に対し前記ガイド板１６の一端部側にある所定位置（以下、この位置を打出位置という）に遊技球を導き、且つ該打出位置で位置決めする凸状の位置決ガイド体１７を有している。
【００２９】
該一対の電磁石１１ａ，１１ｂは、通電するとそれぞれに磁力が発生し、一方の電磁石１１ａから他方の電磁石１１ｂに向けて磁束が流れるようになっている。より詳しくは、前記一対の電磁石１１ａ，１１ｂ間に遊技球が位置しているときに磁束の流れが生じると、打出位置に位置した遊技球に吸引力が生じてコア１４の両端同士が対向する位置（磁力に強い位置）に向けて移動し、この状態で通電を遮断することでコア１４の両端に向けて移動した遊技球の保有する慣性により、該遊技球が遊技領域Ｐに向かって打ち出されるように構成されている。
【００３０】
このように構成された一対の電磁石１１ａ，１１ｂは、ガイド板１６が遊技球の打ち出し方向に向けて先上がりに傾斜するように、前記ケース１２内に固着されている。
【００３１】
前記ケース１２は、一面を開口状態にした角形の箱体で構成されており、該開口端部が、内枠体１に形成された取付穴（図示せず）に挿入して取付可能、且つ前記遊技球除去部材１３を取り付け可能に形状設定されている。また、開口状態にある一面と対向する面には、傾斜状態で固定された前記一対の電磁石１１ａ，１１ｂ間の間隙に対応し、且つ正規に打ち出される遊技球が配置される打出位置から遊技球略一球分の打ち出し方向側の位置に、前記切上装置１０から一球ずつ供給される遊技球を通過させる供給穴１８が形成されている。さらに、前記一方の電磁石１１ａに取り付けられたガイド板１６の長手方向の他端と隣接する面には、遊技領域Ｐに向かって打ち出される遊技球が通過しえるように、一対の電磁石１１ａ，１１ｂ間と対応した発射穴１９が設けられている。
【００３２】
前記遊技球除去部材１３は、前記ケース１２の開口状態にある一面を塞ぐ蓋部２０と、該蓋部２０に取り付けられて前記一対の電磁石１１ａ，１１ｂ間に位置した余分な遊技球（正規に打ち出される遊技球とは別の遊技球）を受け入れて、後述する貯留筒に当該遊技球を送る遊技球除去路２１とで構成されている。なお、蓋部２０と遊技球除去路２１とは一体成型されている。
【００３３】
前記蓋部２０は、前記ケース１２の開口形状に対応した板材であり、ケース１２の開口端面に取り付けられて、ケース１２の開口を閉鎖するように構成されている。該蓋部２０には、ケース１２に取り付けた際に、前記一対の電磁石１１ａ，１１ｂ間の間隙と対応する長方形状の貫通穴が形成されている。また、当該蓋部２０のケース１２と対向する一方の面には、他方の電磁石１１ｂに設けられた位置決ガイド体１７で位置決めされた遊技球が、蓋部２０側に移動して貫通穴を通過するのを防止する一辺が遊技球の直径よりやや短い平面視略菱形の板材からなる位置決板２３が設けられている。該位置決板２３は、蓋部２０をケース１２に取り付けた際に、一端が位置決ガイド体１７で位置決めされた遊技球と対向し、且つガイド板１６と略平行をなして一対の電磁石１１ａ，１１ｂ間に介在するように、蓋部２０と略直角をなし、且つガイド板１６の一端と対応する前記貫通穴の長手方向の一端近傍からケース１２に向けて蓋部２０の一方の面に延設されている。また、平面視略菱形の位置決板２３の遊技球の打ち出し方向側の一端は、ケース１２から外部に向かって先下りするように傾斜している。
【００３４】
前記遊技球除去路２１は、内寸が遊技球の直径より大きくされた角筒体であり、一端部が前記蓋部２０に固着され、他端部が後述する回収路に接続されたバイパスに合流するように接続されて遊技球の打ち出し方向側に先下りに傾斜している。具体的には、該遊技球除去路２１の一端部の一側面に、前記貫通穴と対応した形状の穴からなる受球口２２が形成されており、該受球口２２と貫通穴とが一致するように、該一端部が蓋部２０に固着されている。なお、本実施形態においては、蓋部２０と遊技球除去路２１とが一体成型されているので、遊技球除去路２１の一端部の側面に形成された受球口２２と、前記貫通穴とは同一の穴となっている。また、蓋部２０に固着された一端部の一側面と同一面である他端部の一側面にも、一端部と同様に穴が形成されており、該穴が前記パイパス内部を介して後述する貯留筒内部と連通するように、該遊技球除去路２１の他端部が前記バイパスに接続されている。このような状態で、遊技球除去路２１は、一端から他端に向けて先下りに傾斜している。なお、前記遊技球除去路２１の一端部における側面視の形状は、蓋部２０の前記貫通穴の形状に対応した形状に設定されている。
【００３５】
上記構成の発射装置８は、前記切上装置１０とともに、内枠体１の短手方向の他端上方に向けて遊技球を打ち出せるように、遊技球操作領域Ｂｈ、すなわち、内枠体１の下端部における短手方向の一端側に内装されている（図２参照）。
【００３６】
前記切上装置１０は、前記ケース１２に取り付けられるベース体２４と、該ベース体２４に上下方向に移動可能に設けられ、前記発射装置８に遊技球を一球ずつ切り出して供給する切上体２５と、該切上体２５を往復動させるリンク機構２６と、前記ハンドル７を操作することにより、リンク機構２６を動作させるステッピングモータ２７とで構成されている。
【００３７】
前記ベース体２４は、前記ケース１２の供給穴１８と対応する導入穴２８と、後述する上皿の供給路２９と接続され、該供給路２９の下流側の一部となる補助路３０とを備えており、前記導入穴２８とケース１２の供給穴１８とを連通させた状態で取り付けられている。前記補助路３０は、前記導入穴２８の中心線と直交するように形成され、上皿に形成された供給路２９の終端と一端が接続され、他端が前記導入穴２８より遊技球略一球分下方に位置して傾斜状態をなしている。
【００３８】
前記切上体２５は、断面の一辺の長さが遊技球の直径よりやや短く設定された断面略正方形状の角柱体であり、一端面が中央に向けて先下りし、且つ該先下り方向に対して直交方向に更に先下りした一対の傾斜面からなる。かかる切上体２５は、一対の傾斜面同士を接続部分（稜線）と補助路３０の終端とが略平行をなし、前記稜線の先下り側が前記導入穴２８側に位置するように、前記ベース体２４の補助路３０の終端と隣接して一端面を上方に位置させて起立状態で前記ベース体２４に上下方向に移動可能に取り付けられている。より詳しくは、上下方向の移動により、切上体２５が下限に位置した際に、切上体２５の一端面が補助路３０の一端（終端）よりやや低い位置に位置し、上限に位置した際に、一端面が前記導入穴２８の下端と隣接して略同一高さになるように構成されている。なお、切上体２５は、ハンドル７が操作されていないときは、下限に位置している。
【００３９】
上記構成の遊技球発射装置部６は、上述の如く、供給路２９及び補助路３０を介して遊技球が下限に位置した切上体２５の一端面上に供給され、ハンドル７を操作することにより切上体２５を上限に移動させると、切上体２５の一端面上に載置された一球の遊技球が、一端面の傾斜によりベース体２４の導入穴２８に向けて移動し、ケース１２の供給穴１８を介して発射装置８内（一対の電磁石１１ａ，１１ｂ間）に遊技球が入り、該遊技球が位置決ガイド体１７によって打出位置に導かれる。そうすると、上述の如く、発射装置８内の一対の電磁石１１ａ，１１ｂが通電されて当該遊技球が打ち出される。つまり、ハンドル７を操作することで、切上装置１０と発射装置８とが連動して遊技球の供給及び打ち出しが連続的に行われるように構成されている。
【００４０】
また、切上装置１０からの遊技球の供給のタイミングと発射装置８の動作のタイミングとが何らかの原因でずれてしまい、発射装置８内に遊技球が二球以上供給されると、図４（イ）に示す如く、先行する遊技球が位置決ガイド体１７によって打出位置に導かれる一方、打出位置よりも遊技球の打ち出し方向側から供給された後続の遊技球が、打出位置に配置された遊技球に沿うように、供給穴１８から放物線状に移動して位置決板２３の傾斜した一端に沿って受球口２２から遊技球除去路２１内へと導かれるように構成されている。すなわち、ガイド板１６の傾斜によって、供給口１８から放物線を描いて供給される遊技球の移動軌跡に対応させるように、受球口２２の形状が長方形状に設定され、位置決板２３における打出位置側の一端が傾斜している。また、ハンドル７の操作量が小さく、発射装置８から打ち出された遊技球が発射装置８内に逆戻りした場合も、図４（ロ）に示す如く、逆戻りした遊技球が、打出位置に配置された遊技球と衝突した後に、位置決板２３の傾斜した一端によって遊技球除去路２１内へと導かれるように構成されている。したがって、打出位置に遊技球が配置されているにも関わらず、二球以上の遊技球が連続的に供給されても、受球口２２が供給穴１８と略対向した位置に設けられているので、先行する遊技球が後続の遊技球に押されて、後続の遊技球とともに遊技球除去路２１内へと導かれ、貯留筒内に回収される。
【００４１】
前記貯留領域９は、図５に示す如く、機構盤から払い出される遊技球、或いは外部から補給される遊技球を貯留する一対の貯留皿３１，３２と、該一対の貯留皿３１，３２の下方に設けられた筒状の貯留筒３３と、一対の貯留皿３１，３２のうちの後述する下皿３２の底部及び貯留筒３３の下端開口の開閉を行う開閉機構３４とで構成されている。なお、貯留筒３３と開閉機構３４とは、一体的に組み立てられている。
【００４２】
前記一対の貯留皿３１，３２は、前記発射装置８が作用する打出位置に遊技球を供給すべく発射装置８に向けて先下がりに傾斜した供給路２９が形成された一方の貯留皿である上皿３１と、上皿３１の前面に連設され、しかも底部が上皿３１の底部よりも低い位置、すなわち上皿３１より深さが深く設定された他方の貯留皿である下皿３２とで構成されている。
【００４３】
前記上皿３１の底部は、機構盤に接続されて遊技球を供給する（払い出す）払出口３５の開口と対向する位置に設けられている。すなわち、払出口３５から払い出された遊技球が供給路２９に導かれやすいように、払出口３５と上皿３１の底部とが対向配置されているのである。なお、払出口３５は、角管がＬ字状に曲げられたものであり、一方の開口端が下向きとなるように、遊技領域Ｐの下方に位置し、且つ遊技盤２から前方に延出して設けられ、他方の開口端が遊技盤２を介して機構盤の後述する遊技球切出路に接続されるように構成されている。
【００４４】
前記供給路２９の下流端部（前記補助路３０）には、図６（イ）に示す如く、下部に開口が形成されており、バイパス６７を介して貯留筒３３に接続された遊技球抜路３６が、該開口に接続されている。換言すれば、供給路２９は、切上装置１０の補助路３０との接続部分近傍で、遊技球抜路３６が下方に向けて分岐した状態をなし、該遊技球抜路３６が、バイパス６７を介して貯留筒３３に接続されている。
【００４５】
前記供給路２９と遊技球抜路３６の分岐部分には、弁機構が設けられている。該弁機構は、供給路２９上の遊技球の移動を阻害しないように供給路２９に沿って往復し、供給路２９と遊技球抜路３６との接続開口を開閉する弁３７と、該弁３７を供給路２９と隣接した切上体２５側（供給路２９の先下り側）に付勢するバネと、パチンコ遊技機の前面に配置されたレバー６８（図１参照）に接続され、切上装置１０のベース体２４に枢着されるとともに、前記弁３７に接続された当該弁３７を往復動させる動作レバー６９とを備えている。上記弁機構は、遊技者がレバー６８を操作し、該レバー６８に接続された動作レバー６９が回転することにより、弁３７が供給路２９に沿って移動して供給路２９と遊技球抜路３６との接続開口の開閉を行い、供給路２９と遊技球抜路３６とを連通、及び遮断するように構成されている。したがって、図６（ロ）に示す如く、遊技者がレバー６８を操作すれば、上皿３１内の遊技球、及び供給路２９上の遊技球が、遊技球抜路３６を介して貯留筒３３に流れ込む。
【００４６】
図５に戻り、前記下皿３２は、上述の如く、深さが上皿３１の深さよりも深く設定されており、底部には、円形状の開口３８が形成されている。また、上皿３１と下皿３２との境界部分は、傾斜面をなしており、上皿３１が遊技球で満杯状態となった際に、上皿３１内の遊技球が傾斜面に沿って下皿３２に流れ込む一方、上皿３１内の遊技球がなくなった際に、下皿３２の遊技球を該傾斜面に沿って掻き上げることで、上皿３１に遊技球を供給し得るように構成されている。
【００４７】
前記貯留筒３３は、前記下皿３２に形成された開口３８の径に対応した内径を備えた筒体であり、上端開口部の一部が切り欠かれて遊技球を通過させる通過穴３９が形成されている。該通過穴３９は、前記遊技球除去路２１、前記遊技球抜路３６、及び後述する回収路に接続されたバイパスと接続されている。また、前記下皿３２に貯留筒３３及び開閉機構３４を取り付けるべく、貯留筒３３は、平面視矩形状をなした箱状の取付部材４０に挿通され、且つ取付部材４０の内部と当該貯留筒３３の内部が連通状態をなして遊技球の貯留量を確保している。かかる取付部材４０の四隅には、貯留筒３３及び開閉機構３４の位置決めを行う円柱状の位置決部４１が形成されており、この位置決部４１を介してネジ部材を下皿３２の底面に螺着させることにより、該貯留筒３３の上端開口と下皿３２の開口３８とが対応して、貯留筒３３が位置決めされるように構成されている。なお、上述のように、遊技球の貯留量を確保するために、貯留筒３３を箱状の取付部材４０に挿通する構成としたが、必ずしも取付部材４０を箱状にする必要はなく、例えば、貯留筒３３の内径を、必要な数量の遊技球を貯留することができる内径にしてもよい。
【００４８】
前記開閉機構３４は、貯留筒３３の上端開口（下皿３２の開口３８）を開閉する第一シャッター４２と、貯留筒３３の下端開口を開閉する第二シャッター４３と、第一シャッター４２及び第二シャッター４３を移動させる操作体４４とで構成されている。
【００４９】
前記第一シャッター４２は、板材で形成されており、貯留筒３３の開口に対応して形状設定された第一閉鎖部４５と、該第一閉鎖部４５から延出した第一アーム部４６とで構成されている。かかる第一シャッター４２は、第一アーム部４６の所定位置がピン４７を介して取付部材４０の一方の面に枢着されており、取付部材４０の一方の面に対して略平行状態を維持したまま回転することで、貯留筒３３の上端開口の開閉を行うように構成されている。
【００５０】
前記第二シャッター４３は、貯留筒３３の開口の対応して形状設定された板状の第二閉鎖部４８と、該第二閉鎖部４８から延出し、先端部に後述する係合溝５２に遊嵌される係合ピン４９を備えた第二アーム部５０とで構成されている。かかる第二シャッター４３は、第二アーム部５０の所定位置がピン４７を介して取付部材４０の他方の面に枢着されており、取付部材４０の他方の面に対して略平行状態を維持したまま回転することで、貯留筒３３の下端開口の開閉を行うように構成されている。
【００５１】
前記操作体４４は、前記第一アーム部４６に当接する第一当接部５１と、前記第二アーム部５０の係合ピン４９と係合する上述した係合溝５２とを備え、前記取付部材４０にスライド可能に設けられている。かかる係合溝５２は、操作体４４のスライド方向に対応した方向に長手に形成されたＬ字状溝である。
【００５２】
上記構成に開閉機構３４は、操作体４４をスライドさせることで、第二アーム部５０の係合ピン４９と係合溝５２の端部（短手部分）とが係合して第二シャッター４３を回転させた後に、係合ピン４９と係合溝５２の端部との係合が解除され、係合ピン４９に沿うように係合溝５２が移動することで第二シャッター４２の貯留筒３３の下端開口の開放を維持し、その後、第一アーム部４６と第一当接部５１とが当接して第一シャッター４２を回転させて、下皿３２の底部（開口３８）が開放されるように構成されている。つまり、当該開閉機構３４は、操作体４４をスライドさせることで、第一シャッター４２及び第二シャッター４３を回転させて、下皿３２の底部と貯留筒３３の下端開口を段階的に開放するように構成されている。
【００５３】
図２に戻り、前記遊技盤２は、前記内枠体１に形成された開口の内寸に対応した略正方形状の板材であり、内枠体１の開口に嵌め込まれた際に前面となる一方の面には、遊技領域Ｐ等を含む遊技装飾領域Ｐｄが形成されている。
【００５４】
前記遊技装飾領域Ｐｄには、実際に遊技を行う上述した遊技領域Ｐと、該遊技領域Ｐに向けて前記発射装置８から打ち出された遊技球が通過する遊技球発射軌道Ｂｏと、前記化粧枠５に覆われる被覆領域Ｃとが形成されている。
【００５５】
前記遊技球発射軌道Ｂｏ及び遊技領域Ｐは、遊技盤２の一方の面に帯状のレール５３が円形渦巻き状に取り付けられて形成されている。より具体的には、遊技領域Ｐは、円形渦巻き状に取り付けられたレール５３で囲まれた円形状の領域であり、該遊技領域Ｐには、打ち出された遊技球の落下方向を不特定な方向に変化させる複数の釘（図示せず）及び回転体５４（いわゆる、風車）が適宜取り付けられるとともに、所定位置に遊技球を受け入れる入賞口５５が設けられている。かかる入賞口５５は、遊技球が入球することにより、制御部に抽選を行うように指示する指示信号が発信されるように構成されている。また、遊技領域Ｐの略中央には、制御部の抽選結果を表示する表示部５６が設けられている。
【００５６】
前記遊技球発射軌道Ｂｏは、円形渦巻き状に取り付けられたレール５３の最も外側に位置した部分と、遊技領域Ｐを形成した部分との間、すなわち、対向したレール５３間と、該レール５３の最も外側に位置した一端と発射装置８との間とで、遊技領域Ｐに向けて先細りに形成されている。換言すれば、遊技球発射軌道Ｂｏは、前記レール５３の一端側に向けて、遊技領域Ｐを形成するレール５３と最も外側に位置したレール５３との間隔が漸大するように形成され、前記発射装置８によって打ち出される遊技球を確実に遊技領域Ｐ内へと導くべく、レール５３の一端が発射装置８から所定距離離れた位置（以下、起点という）に配置されている。なお、前記起点（レール５３の端部）の位置は、発射装置８における遊技球の打ち出し力などの性能や遊技球の打ち出し角度等により決定されている。
【００５７】
前記遊技球発射軌道Ｂｏにおける前記発射装置８の遊技球を打ち出す発射穴１９の下端と、上述した遊技領域Ｐの外縁に沿って設けられたレール５３の前記起点に位置する一端との間（レール５３が配置されていない部分）には、図７に示す如く、遊技球の移動方向を規制するガイド体５７が設けられている。
【００５８】
かかるガイド体５７は、一枚の金属板をコの字状に折り曲げ加工して形成されたものであり、レール５３の幅と同等の間隔を有して遊技盤２の一方の面と対向配置された移動規制体である正面視逆台形状の移動規制部５８と、該移動規制部５８の傾斜した一端から遊技盤２に向けて延出し、遊技領域Ｐを形成するレール５３から下方に向けて配置された逆行阻止体である逆行阻止部５９と、該逆行阻止部５９の下端に対して所定距離離間した位置に一端を位置させ、発射装置８から打ち出された遊技球が通過する穴状の通過部６０を形成するように、前記移動規制部５８の下端から遊技盤２に向けて延出した案内部６１とで構成されている。
【００５９】
前記移動規制部５８は、上述の如く、正面視略逆台形状をなしており、最も外側に位置したレール５３に傾斜した他端部を当接させた状態で、遊技盤２と所定間隔を有するように当該遊技盤２に対向配置されている。かかる移動規制部５８には、発射装置８から打ち出された遊技球の発射軌道に対応するように、貫通した直線状のスリット６２が形成されている。該スリット６２は、遊技盤２と移動規制部５８との間で遊技球が球詰まりを起こした際に、スリット６２の幅より小さな直径を有する棒材を挿通し、スリット６２の形状に対応させて棒材を移動させることで、球詰まりを解消させるように形成されたものである。
【００６０】
また、該遊技盤２と対向する移動規制部５８の一方の面には、遊技球発射軌道Ｂｏを逆行する遊技球の移動方向を下方に強制する強制ガイド体である強制ガイド６３が設けられている。
【００６１】
該強制ガイド６３は、レール５３の幅と略同等の幅に設定された平面視略矩形状をなした板材であり、長手方向の一端部が湾曲している。このように構成された強制ガイド６３は、平板部分を遊技球の打ち出し方向に沿わし、且つ案内部６１と所定間隔を有して一端部の凹状をなした湾曲面を対向させた状態で、他端を遊技球の打ち出し方向に位置させるとともに、一端を通過部６０側に位置させるように、発射装置８から打ち出される遊技球と干渉しない位置（発射装置８から打ち出される遊技球の打ち出し軌跡より下方の位置）で移動規制部５８に固着されている。換言すれば、強制ガイド６３は、湾曲面を下方に向けた状態で、通過部６０と打出位置（発射装置８の発射穴１９の下端）とを結ぶ仮想線の延長線上より下方に配置されている。
【００６２】
前記逆行阻止部５９は、前記レール５３の幅に対応して幅に設定されて平面視略矩形状をなしている。かかる逆行阻止部５９は、長手方向の一端（上端）を遊技領域Ｐを形成するレール５３の略当接させるように、当該レール５３から下方に向けて設けられている。より具体的には、遊技球発射軌道Ｂｏを逆行する遊技球が、逆行阻止部５９に衝突した際に、該遊技球を後述する回収路６６ａに円滑に落下させるように、逆行阻止部５９は、下端が上端に比して発射装置側に位置して傾斜した状態をなしている。つまり、逆行阻止部５９は、遊技球を回収路６６ａへと導くために、傾斜面を形成している。また、かかる逆行阻止部５９は、アース接続用の突片６４を備えており、該突片６４が内枠体２から引き出されたアース用リード線に接続され、静電気を逃がすように構成されている。
【００６３】
前記案内部６１は、逆行阻止部５９と同様に、レール５３の幅に対応した幅に設定されて矩形状をなしており、前記逆行阻止部５９と通過部６０を形成する一端部が、通過部６０に向けて折り曲げられ、係止部６５が形成されている。かかる案内部６１は、他端に向けて先下りに傾斜しており、上皿３１の壁面に形成された戻口７１に接続された案内路７０に、他端が接続されている。
【００６４】
このように案内部６１が設けられたことにより、レール５３の一端と発射装置８との間が、遊技盤２の正面左右方向に二分され、回収路６６ａ及び補助回収路６６ｂが形成されている。換言すれば、発射装置８近傍における遊技球発射軌道Ｂｏは、下方に向かって形成された回収路６６ａ及び補助回収路６６ｂによって分岐された状態をなしている。
【００６５】
前記回収路６６ａは、上述の如く、案内部６１及び案内路７０を介して上皿３１に接続されている。
【００６６】
一方、補助回収路６６ｂは、前記回収路６６ａに隣接して発射装置８側に形成されており、上述した遊技球除去路２１、遊技球抜路３６が接続された角管状のバイパス６７（図６）を介して前記貯留筒３３の通過穴３９に接続されている。
【００６７】
したがって、遊技球に対する発射装置８の打ち出し力が弱く、遊技球が遊技領域Ｐに到達せずに遊技球発射軌道Ｂｏを逆戻りするとともに、後続の遊技球が発射装置８によって打ち出され、逆戻りする遊技球と通過部６０を通過した後続の遊技球とが衝突した場合には、これらの遊技球は、不特定な方向に弾き飛ばされるが、遊技球が通過部６０より上方に向けて弾き飛ばされた場合には、当該遊技球は、逆行阻止部５９に衝突し、該逆行阻止部５９の傾斜面によって回収路６６ａ側に弾き飛ばされ、或いは傾斜面に沿って移動して回収路６６ａに落下し、上皿３１に回収される。
【００６８】
また、遊技球が外側に位置したレール５３に向かって弾き飛ばされた場合には、該遊技球は、レール５３に沿って逆行してくるが、運動エネルギーが小さくなっているので、レール５３の一端と強制ガイド６３との間に落下する。仮に遊技球の運動エネルギーが大きな状態で、レールの一端と強制ガイド６３との間に落下し、通過部６０側に移動しても、強制ガイド６３の一端部が凹状の湾曲面を形成しているので、該湾曲面に沿って遊技球の移動方向が下方向に強制され、回収路６６ａを介して上皿３１に回収される。また、強制ガイド６３より通過部６０側に弾き飛ばされた場合には、案内部６１の一端部に形成した係止部６５と遊技球が干渉し、強制ガイド６３の一端と係止部６５との間に遊技球が落下し、回収路６６ａを介して上皿３１に回収される。これにより、遊技者は、回収した遊技球を連続的に使用して遊技を続行することができる。また、遊技球が打ち出し方向に対して直交方向に弾き飛ばされた場合には、当該遊技球は、移動規制部５８と干渉して（移動方向を規制し）遊技球発射軌道Ｂｏ内で上述のような移動を行い回収路６６ａ内に落下する。
【００６９】
仮に、通過部６０を通過して発射装置８側に遊技球が逆戻りしても、通過部６０は、発射装置８から打ち出される遊技球の発射軌道上に設けられ、該打ち出された遊技球が通過し得る大きさに設定されているので、逆戻りする遊技球が、係止部６５、或いは逆行阻止部５９の下端部と一旦接触してから発射装置８側に移動するので、発射装置８の発射穴１９を介してガイド板１６状の打出位置に遊技球が戻ることなく、補助回収路６６ｂ内に落下し、バイパス６７を介して貯留筒３３内に回収される。
【００７０】
図２に戻り、前記ガラス窓３は、遊技境域Ｐの大きさに対応した金属製の枠体４と、該枠体４内に嵌め込まれた板ガラスＧとで構成されており、遊技盤２の遊技領域Ｐを視認可能に、前記枠体４を形成する一方の側枠部が内枠体１の短手方向の一端側の枠に枢着されている。かかるガラス窓３は、内枠体１及び化粧枠５とそれぞれ独立して開閉し得るように構成されており、内枠体１の短手方向に他方（他端側）の枠の内面に設けられた磁石（図示せず）によって、不用意にガラス窓３が開かないように構成されている。
【００７１】
図１に戻り、化粧枠５は、内枠体１の遊技球操作領域Ｂｈ、及び貯留領域９以外の部分と対応する外形に形状設定されており、遊技盤２の遊技領域Ｐに対応した円形の開口が形成されている。かかる化粧枠５の前面には、色とりどりのレンズ体Ｌ内にランプ（図示せず）が設けられた、いわゆる電飾Ｅが適宜配置されている。
【００７２】
かかる電飾Ｅは、遊技領域Ｐ内に打ち出された遊技球が、所定の入賞口５５に入球し、前記制御部によって行われる抽選途中の演出、特別遊技状態に突入する予告（いわゆる、リーチ予告）、入賞確定などを報知するように構成されている。なお、上述した遊技球操作領域Ｂｈにも、化粧枠５のデザインに対応したカバーＡが、前記上皿３１及び下皿３２などを覆うように取り付けられている。
【００７３】
前記機構盤は、ホールの遊技島に設置された遊技球供給装置から供給される遊技球を一時的に貯留する球タンクと、該球タンクに連結され、球タンクに貯留された遊技球を所定数量ずつ切り出し、前記上皿３１に払い出す一対の遊技球切出路とで構成されている。
【００７４】
前記球タンクは、外枠体の上部に位置するように設けられた平面視略矩形状をなした有底角筒状の容器である。この球タンクの底部のほぼ中央部には、開口が形成されており、底部内面は、中央部の開口に向かって先下りした傾斜面をなしている。かかる玉タンクは、長手方向の長さが外枠体の内幅よりやや小さく、奥行きが外枠体の奥行きと略同等に設定されている。
【００７５】
前記一対の遊技球切出路のそれぞれは、遊技球が通過し得る内径に設定された角管路であり、一端が球タンクの開口に接続されるとともに、他端開口が上皿３１の上方に位置して形成された払出口３５に接続されるように構成されている。また、一対の遊技球切出路のそれぞれにおける長手方向の略中間部位には、供給或いは払い出す遊技球の数量が、投入された貨幣の額に対応した数量、或いは抽選などの結果に基づいて制御部から指示される数量となるように、球タンクから供給される遊技球を計量して所定数量の遊技球を払出口３５を介して上皿３１に供給する計量切出装置が設けられている。
【００７６】
以上のように、上記構成からなるパチンコ遊技機は、発射装置から打ち出された遊技球が通過する通過部６０を形成するとともに、打ち出された遊技球が、発射装置８の作用する打出位置に戻るのを阻止する逆行阻止部５９と、遊技球の打ち出し方向に対して直交方向に移動して遊技球発射軌道Ｂｏから離脱するのを阻止する移動規制部５８とを設けたので、発射装置８によって遊技球を遊技領域Ｐに向けて円滑に打ち出すことができるとともに、遊技球発射軌道Ｂｏ上を遊技球が逆行した場合や、遊技球発射軌道Ｂｏ上で逆戻りする遊技球と後続の遊技球が衝突してこれらの遊技球が不特定な方向に弾き飛ばされた場合であっても、遊技球が打出位置に到達することがなく、後続の遊技球を円滑に打ち出すことができる。また、上述の如く、遊技球が打ち出し方向に対して直交方向に移動するのを阻止するようにしたので、凹凸を有する化粧枠５を遊技球発射軌道Ｂｏに対して対向配置しても、遊技球が化粧枠５の凹部に到達することがなく、当該凹部に遊技球が入り込むといった事態を防止することができる。
【００７７】
さらに、回収路６６ａと対応するように逆行阻止部５９を傾斜させたので、該逆行阻止部５９に衝突した遊技球を、傾斜面に沿って移動させることができ、円滑に回収路６６ａに導くことができる。
【００７８】
また、前記ガイド体５７は、一枚の板材を折り曲げ加工して移動規制部５８、逆行阻止部５９及び案内部６１が形成されているので、低コストの部材で遊技球の移動方向を規制することができる。
【００７９】
さらに、ガイド体５７を導電性を有する金属板で形成し、アース接地したので、連続して遊技球が打ち出されて静電気が発生しようとしても、ガイド体５７を介して静電気を逃がすことができ、パチンコ遊技機内の電気機器（特に制御部）が静電気の影響を受けて誤作動等を起こすのを防止することができる。また、パチンコ遊技機に帯電した静電気が、遊技中の遊技者に流れるといった事態も防止することができる。
【００８０】
また、強制ガイド６３を設けたので、遊技球が勢いよく逆行した場合であっても、該遊技球を強制ガイド６３の湾曲面に沿って移動させ、遊技球の移動方向を、回収路６６ａ（下方）に向けることができ、該遊技球を円滑に回収路６６ａ（下方）へと導くことができる。
【００８１】
さらに、移動規制部５８に球詰まりを解除すべくスリット６２を形成したので、ガイド体５７と遊技盤２との間で球詰まりが発生しても、容易に球詰まりを解除することができる。
【００８２】
尚、本発明にかかる遊技機は、上記実施形態に限定されるものではなく、本発明の要旨を逸脱しない範囲内において種々変更を加え得ることは勿論である。
【００８３】
本実施形態において、移動規制部５８と逆行阻止部５９とを一枚の板材を折り曲げ加工して形成したが、移動規制部５８及び逆行阻止部５９は、板材で構成されたものに限定されるものではなく、例えば、逆行阻止部５９をブロック体で形成し、該ブロック体に移動規制部５８となる板材を連結した構成とすることもできる。
【００８４】
本実施形態において、逆行阻止部５９を長手方向の他端（下端）が一端（上端）に比して発射装置側に位置して傾斜面を形成するようにしたが、該傾斜面は、逆行阻止部５９の上端が下端に比して発射装置側に位置して傾斜面を形成してもよい。このようにすれば、逆行する遊技球が、傾斜面に一旦接触した後に傾斜面に沿って傾斜面を転がるように移動し、該遊技球を回収路６６ａに落下させることができる。つまり、逆行阻止部５９の傾斜は、適宜変更可能であり、起立状態であってもよい。
【００８５】
また、本実施形態においてアース接地用の突片６４を逆行阻止部５９から延設したが、該突片６４は、逆行阻止部５９に設けたものに限定されるものではなく、遊技球の移動を阻害しない場所であれば、ガイド体５７の何れの場所に設けてもよい。
【００８６】
本実施形態において、電磁式の発射装置８を採用したが、発射装置８は電磁式に限定されるものではなく、槌状の打撃部材によって遊技球を遊技領域へ打ち出すものであってもよい。この場合、発射装置８は、打撃部材によって打撃し得るように遊技球が供給されて配置される構成を有するものであることは勿論のことである。
【００８７】
【発明の効果】
以上の如く、本発明の効果として、所定位置から打ち出された遊技球が通過する通過部を、回収路に対して前記所定位置側の遊技球発射軌道上に形成するように、遊技球が遊技球発射軌道を逆行して前記所定位置に到達するのを阻止する逆行阻止体を設けるとともに、遊技球が打ち出し方向に対して直交方向に移動し、少なくとも回収路近傍における遊技球発射軌道から離脱するのを阻止する移動規制体を設けたので、遊技球発射軌道を逆行する遊技球が、発射装置の作用する所定位置に逆戻りするのを防止することができるとともに、遊技球の打ち出し方向に対して直交方向に遊技球が移動して遊技球発射軌道から当該遊技球が離脱するのを防止することができる。
【図面の簡単な説明】
【図１】本発明の一実施形態にかかるパチンコ遊技機の全体正面図を示す。
【図２】同実施形態にかかる化粧枠を取り除いた状態におけるパチンコ遊技機の正面図を示す。
【図３】同実施形態にかかる遊技球発射装置部の斜視図を示す。
【図４】同実施形態にかかる発射装置内における遊技球の移動状況を説明する説明図であって、（イ）は、切上装置から遊技球が過剰供給された場合を示し、（ロ）は、打ち出された遊技球が遊技領域に到達せずに発射装置内に逆戻りした場合を示す。
【図５】同実施形態にかかる上皿、下皿、貯留筒及び開閉機構の斜視図を示す。
【図６】同実施形態にかかる遊技球抜路を説明するための説明図であって、（イ）は、切上装置に遊技球が供給されている状態を示し、（ロ）は、上皿内の遊技球及び供給路上の遊技球を遊技球抜路を介して貯留筒に回収される状態を示す。
【図７】同実施形態にかかるガイド体、及び回収路を説明するための部分斜視図を示す。
【符号の説明】
１…内枠体、２…遊技盤、３…ガラス窓、４…枠体、５…化粧枠、６…遊技球発射装置部、７…ハンドル、８…発射装置、９…貯留領域、１０…切上装置、１１ａ，１１ｂ…電磁石、１２…ケース、１３…遊技球除去部材、１４…コア、１５…コイル、１６…ガイド板、１７…位置決ガイド体、１８…供給穴、１９…発射穴、２０…蓋部、２１…遊技球除去路、２２…受球口、２３…位置決板、２４…ベース体、２５…切上体、２６…リンク機構、２７…ステッピングモータ、２８…導入穴、２９…供給路、３０…補助路、３１…上皿（一方の貯留皿）、３２…下皿（他方の貯留皿）、３３…貯留筒、３４…開閉機構、３５…払出口、３６…遊技球抜路、３７…弁、３８…開口、３９…通過穴、４０…取付部材、４１…位置決部、４２…第一シャッター、４３…第二シャッター、４４…操作体、４５…第一閉鎖部、４６…第一アーム部、４７…ピン、４８…第二閉鎖部、４９…係合ピン、５０…第二アーム部、５１…第一当接部、５２…係合溝、５３…レール、５４…回転体、５５…入賞口、５６…表示部、５７…ガイド体、５８…移動規制部（移動規制体）、５９…逆行阻止部（逆行阻止体）、６０…通過部、６１…案内部、６２…スリット、６３…強制ガイド（強制ガイド体）、６４…突片、６５…係止部、６６ａ…回収路、６６ｂ…補助回収路、６７…バイパス、６８…レバー、６９…動作レバー、７０…案内路、７１…戻口
【図１】
0004170002.tif 000002
【図２】
0004170002.tif 000003
【図３】
0004170002.tif 000004
【図４】
0004170002.tif 000005
【図５】
0004170002.tif 000006
【図６】
0004170002.tif 000007
【図７】
0004170002.tif 000008